【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
被検眼眼底に照明光を照射する照明光学系と，光軸方向に移動可能な第１フォーカス用光学部材を持ち眼底反射光を第１受光素子により受光する受光光学系と，を有する眼底観察光学系を備え、第１受光素子から出力される受光信号に基づいて被検眼の正面眼底画像を得る眼底観察手段と、
光軸方向に移動可能な第２フォーカス用光学部材と，光路長可変用光学部材とを持ち，光源から出射された光を測定光と参照光に分割し、測定光を被検眼眼底に導き，参照光を参照光学系に導いた後、眼底から反射された測定光と参照光とが合成された光を第２受光素子により検出する干渉光学系を有し、第２受光素子から出力される受光信号に基づいて被検眼の眼底断層画像を得る光コヒーレンストモグラフィーと、
前記第１受光素子から出力される受光結果に基づいて前記眼底観察光学系の眼底に対する合焦位置情報を取得し、前記第１フォーカス用光学部材を合焦位置に移動させる第１オートフォーカス手段と、
前記合焦位置情報に基づいて前記第２フォーカス用光学部材を合焦位置近傍に移動させた後、さらに、前記第２フォーカス用光学部材を移動させ、該合焦位置近傍の複数の位置にて取得される断層画像に基づいて前記干渉光学系の眼底に対する合焦位置情報を取得し、前記第２フォーカス用光学部材を合焦位置に移動させる第２オートフォーカス手段と、を備えることを特徴とする眼底撮影装置。
【請求項２】
請求項１の眼底撮影装置において、前記第２オートフォーカス手段は、前記第２フォーカス用光学部材を合焦位置近傍に移動させた後、前記光路長可変用光学部材を移動させ各位置にて取得される断層画像に基づいて光路長の自動調整を行い、さらに、前記第２フォーカス用光学部材を移動させ、該合焦位置近傍の複数の位置にて取得される断層画像に基づいて前記干渉光学系の眼底に対する合焦位置情報を取得し、前記第２フォーカス用光学部材を合焦位置に移動させることを特徴とする眼底撮影装置。
【請求項３】
請求項２の眼底撮影装置において、前記第２オートフォーカス手段は、複数の位置にて取得される断層画像の画像全体の輝度レベルを用いて前記干渉光学系の眼底に対する合焦位置情報を取得することを特徴とする眼底撮影装置。
【請求項４】
被検眼眼底に照明光を照射する照明光学系と，光軸方向に移動可能な第１フォーカス用光学部材を持ち眼底反射光を第１受光素子により受光する受光光学系と，を有する眼底観察光学系を備え、第１受光素子から出力される受光信号に基づいて被検眼の正面眼底画像を得る眼底観察手段と、
光軸方向に移動可能な第２フォーカス用光学部材と，光路長可変用光学部材とを持ち，光源から出射された光を測定光と参照光に分割し、測定光を被検眼眼底に導き，参照光を参照光学系に導いた後、眼底から反射された測定光と参照光とが合成された光を第２受光素子により検出する干渉光学系を有し、第２受光素子から出力される受光信号に基づいて被検眼の眼底断層画像を得る光コヒーレンストモグラフィーと、
前記第１受光素子から出力される受光結果に基づいて前記眼底観察光学系の眼底に対する合焦位置情報を取得し、前記第１フォーカス用光学部材を合焦位置に移動させる第１オートフォーカス手段と、
前記合焦位置情報に対して予め設定されたオフセット量分補正することにより前記干渉光学系の眼底に対する合焦位置情報を取得し、前記第２フォーカス用光学部材を合焦位置まで移動させる第２オートフォーカス手段と、を備えることを特徴とする眼底撮影装置。
【請求項５】
光軸方向に移動可能なフォーカス用光学部材を持ち，光源から出射された光を測定光と参照光に分割し、測定光を被検眼眼底に導き，参照光を参照光学系に導いた後、眼底から反射された測定光と参照光とが合成された光を受光素子により検出する干渉光学系を有し、前記受光素子から出力される受光信号に基づいて被検眼の眼底断層画像を得る光コヒーレンストモグラフィーと、
前記フォーカス用光学部材を移動させ、複数の位置にて取得される断層画像に基づいて前記干渉光学系の眼底に対する合焦位置情報を取得し、前記フォーカス用光学部材を合焦位置に移動させるオートフォーカス手段と、を備えることを特徴とする眼底撮影装置。
【請求項６】
請求項５の眼底撮影装置において、複数の位置にて取得される断層画像の画像全体の輝度レベルを用いて前記干渉光学系の眼底に対する合焦位置情報を取得することを特徴とする眼底撮影装置。
【手続補正２】
【補正対象書類名】明細書
【補正対象項目名】０００７
【補正方法】変更
【補正の内容】
【０００７】
（１）  被検眼眼底に照明光を照射する照明光学系と，光軸方向に移動可能な第１フォーカス用光学部材を持ち眼底反射光を第１受光素子により受光する受光光学系と，を有する眼底観察光学系を備え、第１受光素子から出力される受光信号に基づいて被検眼の正面眼底画像を得る眼底観察手段と、
光軸方向に移動可能な第２フォーカス用光学部材と，光路長可変用光学部材とを持ち，光源から出射された光を測定光と参照光に分割し、測定光を被検眼眼底に導き，参照光を参照光学系に導いた後、眼底から反射された測定光と参照光とが合成された光を第２受光素子により検出する干渉光学系を有し、第２受光素子から出力される受光信号に基づいて被検眼の眼底断層画像を得る光コヒーレンストモグラフィーと、
前記第１受光素子から出力される受光結果に基づいて前記眼底観察光学系の眼底に対する合焦位置情報を取得し、前記第１フォーカス用光学部材を合焦位置に移動させる第１オートフォーカス手段と、
前記合焦位置情報に基づいて前記第２フォーカス用光学部材を合焦位置近傍まで移動させた後、さらに、前記第２フォーカス用光学部材を移動させ、該合焦位置近傍の複数の位置にて取得される断層画像に基づいて前記干渉光学系の眼底に対する合焦位置情報を取得し、前記第２フォーカス用光学部材を合焦位置に移動させる第２オートフォーカス手段と、を備えることを特徴とする。
（２）  （１）の眼底撮影装置において、前記第２オートフォーカス手段は、前記第２フォーカス用光学部材を移動させた後、前記光路長可変用光学部材を移動させ各位置にて取得される断層画像に基づいて光路長の自動調整を行い、さらに、前記第２フォーカス用光学部材を移動させ、該合焦位置近傍の複数の位置にて取得される断層画像に基づいて前記干渉光学系の眼底に対する合焦位置情報を取得し、前記第２フォーカス用光学部材を合焦位置に移動させることを特徴とする。
（３）  （２）の眼底撮影装置において、前記第２オートフォーカス手段は、複数の位置にて取得される断層画像の画像全体の輝度レベルを用いて前記干渉光学系の眼底に対する合焦位置情報を取得することを特徴とする。
（４）  被検眼眼底に照明光を照射する照明光学系と，光軸方向に移動可能な第１フォーカス用光学部材を持ち眼底反射光を第１受光素子により受光する受光光学系と，を有する眼底観察光学系を備え、第１受光素子から出力される受光信号に基づいて被検眼の正面眼底画像を得る眼底観察手段と、
光軸方向に移動可能な第２フォーカス用光学部材と，光路長可変用光学部材とを持ち，光源から出射された光を測定光と参照光に分割し、測定光を被検眼眼底に導き，参照光を参照光学系に導いた後、眼底から反射された測定光と参照光とが合成された光を第２受光素子により検出する干渉光学系を有し、第２受光素子から出力される受光信号に基づいて被検眼の眼底断層像を得る光コヒーレンストモグラフィーと、
前記第１受光素子から出力される受光結果に基づいて前記眼底観察光学系の眼底に対する合焦位置情報を取得し、前記第１フォーカス用光学部材を合焦位置に移動させる第１オートフォーカス手段と、
前記合焦位置情報に対して予め設定されたオフセット量分補正することにより前記干渉光学系の眼底に対する合焦位置情報を取得し、前記第２フォーカス用光学部材を合焦位置まで移動させる第２オートフォーカス手段と、を備えることを特徴とする。
（５）  光軸方向に移動可能なフォーカス用光学部材を持ち，光源から出射された光を測定光と参照光に分割し、測定光を被検眼眼底に導き，参照光を参照光学系に導いた後、眼底から反射された測定光と参照光とが合成された光を受光素子により検出する干渉光学系を有し、前記受光素子から出力される受光信号に基づいて被検眼の眼底断層画像を得る光コヒーレンストモグラフィーと、
前記フォーカス用光学部材を移動させ、複数の位置にて取得される断層画像に基づいて前記干渉光学系の眼底に対する合焦位置情報を取得し、前記フォーカス用光学部材を合焦位置に移動させるオートフォーカス手段と、を備えることを特徴とする眼底撮影装置。
（６）  （５）の眼底撮影装置において、複数の位置にて取得される断層画像の画像全体の輝度レベルを用いて前記干渉光学系の眼底に対する合焦位置情報を取得することを特徴とする。